(57)【要約】  【課題】生理用ナプキンを他人の目に触れず、簡単にとりだせ、気づかれないうちにさりげなく生理用ナプキンを化粧室にもっていけるようにした生理用ナプキンの携帯具を提供できるようにすることにある。【解決手段】可撓性を有する不透明なシート状素材で袋状に形成され、内部にナプキン収納用空間を形成し、当該ナプキン収納空間にナプキンを出し入れ口から出し入れ可能に携帯具を形成するとともに、携帯具の表面に携帯具同士を連結・分離可能にする連結手段を設けるように構成した。【選択図】図３
2008222261.tif 000002
【特許請求の範囲】
【請求項１】
可撓性を有する不透明なシート状素材で袋状に形成され、内部にナプキン収納用空間を形成し、当該ナプキン収納空間にナプキンを出し入れ口から出し入れ可能に携帯具を形成するとともに、携帯具の表面に携帯具同士を連結・分離可能にする連結手段を設けたことを特徴とする生理用ナプキンの携帯具。
【請求項２】
シート状素材が布帛若しくは編地であることを特徴とする請求項１に記載の生理用ナプキンの携帯具。
【請求項３】
連結手段が、面ファスナ若しくはホックで形成されたことを特徴とする請求項１または請求項２に記載の生理用ナプキンの携帯具。
【請求項４】
出し入れ口が端部同士を上下に重ね合わせることにより、開閉可能であり且つナプキンの収納時に外部から視認不能にしてあることを特徴とする請求項１乃至請求項３のいずれか１項に記載の生理用ナプキンの携帯具。
【発明の詳細な説明】
【技術分野】
【０００１】
本発明は生理用ナプキンの携帯具に関するものである。
【背景技術】
【０００２】
一般に生理用ナプキンは一つずつ紙若しくは薄い不織布の袋に入れた状態で販売されており、外出に当たっては必要な個数分バッグ等に入れて携行し、一袋ずつ取り出して使用するようにしている。
ところが、生理用ナプキンを個々にバッグに入れると、他のものに紛れ込んでしまう恐れがある。
そこで、化粧品とともに化粧ポーチに入れたり、特許文献１に示すように複数の生理用ナプキンとその他の用品等を一つの袋に入れて携帯するようにしたものが先に提案されている。
【０００３】
上記のように、化粧品とともに化粧ポーチに入れたり、先の提案のもののように複数の生理用ナプキンとその他の用品等を一つの袋に入れるようにしたものでは、ポーチや袋が大きくなり、大きなポーチや袋をもって化粧室に行かなくてはならず不便であるという問題があった。
【０００４】
そこで生理用ナプキンを一つだけポケットに忍ばせてさりげなく化粧室に持っていこうとすると、予め化粧ポーチや大きな袋を開けて探し出し、取り出さなくてはならず、この取り出す操作に手間がかるという問題があった。
【０００５】
さらに、袋に入っていても生理用ナプキンは外見上もそれとわかる形態になっていることから、周囲に男性がいるような場合、化粧ポーチや袋の中を探したり、ここから取り出すときに周囲に気を使ううえ、生理用ナプキンを包装している紙若しくは薄い不織布の袋のガサツキ音にも気を配らなくてはならず、不快なものとなっていた。
【特許文献１】実開昭６３−１５４０２３号公報
【発明の開示】
【発明が解決しようとする課題】
【０００６】
本発明は上記問題点に鑑み提案されたもので、生理用ナプキンを他人の目を気にしなくても済み、簡単にとりだせ、周囲に気づかれないうちにさりげなく生理用ナプキンを化粧室にもっていけるようにした生理用ナプキンの携帯具を提供できるようにすることを目的とするものである。
【課題を解決するための手段】
【０００７】
上記目的を達成するために本発明にかかる生理用ナプキンの携帯具は、可撓性を有する不透明なシート状素材で袋状に形成され、内部にナプキン収納用空間を形成し、当該ナプキン収納空間にナプキンを出し入れ口から出し入れ可能に携帯具を形成するとともに、携帯具の表面に携帯具同士を連結・分離可能にする連結手段を設けたことを最も主要な特徴とするものである。
【０００８】
また、本発明にかかる生理用ナプキンの携帯具では、シート状素材が布帛若しくは編地であることや、連結手段が、面ファスナ若しくはホックで形成されたことも特徴とするものである。
【０００９】
更に、本発明に斯かる生理用ナプキンの携帯具では、出し入れ口が端部同士を上下に重ね合わせることにより、開閉可能であり且つナプキンの収納時に外部から視認不能にしてあることも特徴とするものである。
【発明の効果】
【００１０】
本発明の生理用ナプキンの携帯具によれば、可撓性を有する不透明なシート状素材で内部にナプキン収納用空間を有する袋状に形成し、当該ナプキン収納空間に生理用ナプキンを出し入れ口から出し入れ可能に携帯具を形成するとともに、携帯具の表面に携帯具同士を連結・分離可能にする連結手段を設けるようにしてあるので、生理用ナプキンを収納した携帯具を必要な個数を連結手段で連結することにより一塊にし、バッグや化粧ポーチに入れて携行する。
すると、バッグや化粧ポーチ内で複数の携行具が個々に分離して紛れ込んだりすることがなく、視認しないでも手探りで一塊となっている携行具を確認することができる。
【００１１】
また、手探りでも確認できた生理用ナプキンの携行具は、連結手段部分を分離するだけの簡単な操作でその一つだけを取り出すことができる。
したがって、連結手段部分の分離操作時に袋に入った生理用ナプキンがガサついても携行具で覆われていることから、そのガサつき音を軽減して外部に漏れ難くし、周囲に気付かれることが殆どないので、精神面での負担を軽減することができる利点がある。
【００１２】
更に、袋に入った生理用ナプキンは携行具で覆われていることから、これを取り出してポケット等にしまう時や、手に持ったときに、例えば男性の眼に触れたときでも、外見上生理用ナプキンとは見えないので、この点でも精神面で負担を軽減することができる利点もある。
【００１３】
加えて、携行具のシート状素材を布帛若しくは編地で形成したものでは、全体的に柔軟性に富み、バッグや化粧ポーチから取り出してポケットに入れても違和感がなく、使用済みで空になった携行具は小さく折りたたんでポケット等に入れ、人目に触れることなくバッグや化粧ポーチに返して再利用することができる利点がある。
【００１４】
携行具同士を連結する連結手段を、面ファスナ若しくはホックで形成したものでは、手探りの状態でも片手で簡単に分離・連結操作ができ、一層至便なものにすることができる利点がある。
【００１５】
更に、本発明に斯かる生理用ナプキンの携帯具を、出し入れ口が端部同士を上下に重ね合わせることにより、出し入れ口から内部に収納した生理用ナプキンの出し入れを容易にできながらも、出し入れ操作時以外は外部に露出することがない。
これにより、バッグや化粧ポーチから取り出してポケットに入れるようなときでも人目を気にすることなく取り出しの操作ができるので、上記精神面での負担軽減をなお一層高めることができる利点がある。
【発明を実施するための最良の形態】
【００１６】
以下、本発明の生理用ナプキンの携帯具にかかる最も好ましい実施の一形態を図面に基づいて説明する。
【実施例１】
【００１７】
図１は本発明にかかる生理用ナプキンの携帯具の全体斜視図、図２はその分解斜視図、図３は縦断側面図であって、図中符号１は携帯具を全体的に示す。
携帯具１は、出し入れ口２を形成した表側生地３と裏側生地４とをその周囲を縫着することにより、内部にナプキン収納用空間５を形成した袋状に形成してあり、表面の少なくとも一部には複数の携帯具１を積み重ねるように連結する連結手段６が設けられている。
【００１８】
この携帯具１を更に詳述すると、表側生地３及び裏側生地４は、リップル生地（所謂サッカー生地）で形成されており、先ず、表側生地３は図３に示すように生地の一端寄り部を折り返し、端部を縫着した二枚の生地を用意し、その折り返された部分同士を上下に重ね合わせてその全体を略正方形にする。
【００１９】
次に、上記表側生地３と略同形の裏側生地４を、表側生地３の下方に重ね置き、上下の生地の周囲を縫着する。
然る後、上下に重ね合わせた部分（後述するように出し入れ口となる部分）２から周囲が縫着された部分が内方に位置するように反転させる。
すると、内部にナプキン収納用空間５が形成されるとともに、上下に重ね合わせた部分がナプキン収納用空間５に生理用ナプキン９を出し入れするときの出し入れ口２となる。
【００２０】
上記複数の携帯具１ａ・１ｂ・１ｃを積み重ねるように連結する連結手段６は、二枚で一組のベルベットクロス式ファスナ（面ファスナ）７で形成されており、最上段の携帯具１ａには裏面に、最下段の携帯具１ｃには表面に、中間部分の携帯具１ｂには表面及び裏面にそれぞれベルベットクロス式ファスナ７の一方又は他方が取り付けられている。
そして、図上、三個の携帯具１ａ・１ｂ・１ｃは、連結手段６により、積み重ねられた状態で連結されて一塊の携帯具１が形成されるようになっている。
【００２１】
したがって、中間に位置する携帯具１ｂを増やすことによって、携帯する個数を増やすこともでき、逆に中間に位置する携帯具１ｂをなくして、最上段の携帯具１ａと最下段の携帯具１ｃとを直接連結すると、携帯する個数を二個に減らすことができる。
また、上記二枚一組のベルベットクロス式ファスナ７の取り付けは、表側生地３や裏側生地４を縫着する前に取り付けても良いし、反転させて袋状に形成した後に取り付けるようにすることもできる。
【００２２】
上記のように形成された生理用ナプキン９の携帯具１を使用する手順を説明する。
各携帯具１ａ・１ｂ・１ｃの出し入れ口２を大きく開け、それぞれの携帯具１ａ・１ｂ・１ｃに、一つのナプキン素材（図示せず）を薄い不織布製の袋や紙製の袋８に封入した一般的に市販されている生理用ナプキン９をナプキン収納用空間５に収納する。
そして、外出の期間や旅行の日程等の目的に合わせて生理用ナプキン９をナプキン収納用空間５に入れた携帯具１ａ・１ｂ・１ｃをその必要個数用意し、これを図１及び図３に示すように重ねた状態にし、連結手段６で連結して一塊にする。
【００２３】
こうして一塊にされた携帯具１は図４に示すようにそのままバッグ１０等に入れても散逸したり、他のものに紛れ込んだりすることがない。
生理用ナプキン９を使用する場合、バッグ１０を開けて手を差し入れ、一塊にされた携帯具１を探し、連結手段６の連結を解除し、例えば最上段の携帯具１ａ若しくは最下段の携帯具１ｃをバッグ１０から取り出しポケット等に入れる。
【００２４】
このとき、バッグ１０から取り出された携帯具１ａ（１ｃ）が人の目に触れても、その携帯具１ａ（１ｃ）はティッシュペーパーのケースのような体をしていることから、然程気にしなくても済む。
使用後の空になった携帯具１ａ（１ｃ）は、バッグ１０の中に入れて連結手段６で元通り一塊にしたり、小さく折り畳んでバッグに入れたりして持ち帰り再利用する。こうした手順で順次使用してゆく。
【００２５】
なお、上記実施の形態では、携帯具１ａ・１ｂ・１ｃに収納される生理用ナプキン９が、一つのナプキン素材を薄い不織布製の袋や紙製の袋に封入されたものとなっているが、こうしたものに限られずナプキン素材をそのまま携帯具１ａ・１ｂ・１ｃに収納するようにしてもよいことは勿論である。
更に、連結手段６はベルベットクロス式ファスナに代えてホックや両面接着テープにすることもできるし、携帯具１ａ・１ｂ・１ｃを形成する生地はリップル生地のような布帛に限られず、合成樹脂シートで形成することができるのは言うまでもないことである。
加えて、携帯具１ａ・１ｂ・１ｃを形成する生地が合成繊維や合成樹脂シートである場合、周囲の縫着に代えて高周波により溶着することもできる。
【図面の簡単な説明】
【００２６】
【図１】は本発明にかかる生理用ナプキンの携帯具の全体斜視図である。
【図２】は本発明にかかる生理用ナプキンの携帯具の分解斜視図である。
【図３】は本発明にかかる生理用ナプキンの携帯具の縦断側面図である。
【図４】は本発明にかかる生理用ナプキンの携帯具の使用状態を示す斜視図である。
【符号の説明】
【００２７】
１・・・一塊の携帯具
１ａ・１ｂ・１ｃ・・・個々の携帯具
２・・・出し入れ口
３・・・表側生地
４・・・裏側生地
５・・・ナプキン収納用空間
６・・・連結手段
７・・・ベルベットクロス式ファスナ（面ファスナ）
８・・・袋
９・・・生理用ナプキン
１０・・・バッグ
【図１】
2008222261.tif 000003
【図２】
2008222261.tif 000004
【図３】
2008222261.tif 000005
【図４】
2008222261.tif 000006